(57)【特許請求の範囲】
【請求項１】
画像データを記憶するＶＲＡＭ（Ｖｉｄｅｏ  Ｒａｎｄｏｍ  Ａｃｃｅｓｓ  Ｍｅｍｏｒｙ）と、
複数の画素が２次元に配列されており、特定領域と、前記特定領域とは異なる領域とを含む画像表示領域を有し、逐次前記ＶＲＡＭから画像データを取得して、取得した画像データが表す画像を表示する表示手段と、
前記画像表示領域への接触を検知し、接触位置を表す信号を出力する検知手段と、
前記検知手段から出力される信号を逐次受け取り、前記ＶＲＡＭに記憶された画像データのうち当該信号により表される接触位置に対応する画像データを更新する制御手段とを備え、
前記制御手段は、前記接触位置が前記特定領域に含まれているときは前記接触位置が前記特定領域以外の領域に含まれるときよりも高い頻度で前記特定領域に対応する画像データを更新する
情報入力表示装置。
【請求項２】
前記特定領域に表示される画像は、手書入力欄に係る画像であり、
前記制御手段は、前記各接触位置が前記特定領域に含まれる場合に、当該各接触位置に応じた手書認識を行う
請求項１記載の情報入力表示装置。
【請求項３】
前記各画素は、アクティブマトリックス方式により駆動され、
前記特定領域以外の領域のリフレッシュの頻度は、前記特定領域以外の領域に含まれる各画素について、リフレッシュされない期間における輝度の低下が１％以内となるよう規定されている
請求項１または２記載の情報入力表示装置。
【発明の詳細な説明】
【技術分野】
【０００１】
本発明は、手書きによる情報入力を受け付ける情報入力表示装置に関する。
【背景技術】
【０００２】
近年、タブレット端末など、タッチパネルを備えており文字等の手書き入力機能を有する情報端末が増加している。これらの情報端末では、ディスプレイを１／６０秒程度の周期でリフレッシュしている。このため、ユーザによる手書き入力欄に対する接触操作を検知したときに、ＶＲＡＭ（Ｖｉｄｅｏ  Ｒａｎｄｏｍ  Ａｃｃｅｓｓ  Ｍｅｍｏｒｙ）に記録されている表示用の画像を接触操作に応じて変更したとしても、この画像の変更がリフレッシュによりディスプレイの表示に反映されるまでに１周期分の遅延が生じる場合がある。この場合、ユーザにとって、手書き入力欄へ文字を書いたときに、紙に文字を書いたときと同様の感覚、すなわち、書いた文字がスムーズに表示として反映される感覚を得られないという問題がある。
【０００３】
この問題に関し、特許文献１に、タッチパネルへの接触が検知されていないときには、タッチパネル全面について接触の検知処理を繰り返し、１度接触が検知された後は、接触の検知が継続する限り、接触位置を中心とした小範囲（一例としてタッチパネル全面の１／１２の面積の範囲）に絞って、より高い頻度で検知処理を繰り返すことで、検知の高速化を図る技術が開示されている。ディスプレイについてもタッチパネルの場合と同様に、リフレッシュする領域を前述の小領域に対応する領域に絞り、高い頻度でリフレッシュすることで、接触操作に応じた画像の変更がリフレッシュによりディスプレイの表示に反映されるまでの時間を大幅に短縮することができる。
【先行技術文献】
【特許文献】
【０００４】
【特許文献１】特開２００６−１２７１０１号公報
【発明の概要】
【発明が解決しようとする課題】
【０００５】
しかしながら、特許文献１の技術においても、タッチパネルに対する最初の接触を検知するまでは、タッチパネル全面について接触の検知処理を行わなければならないことに変わりなく、最初の接触を検知してから、その接触に応じた画像の変更がリフレッシュによりディスプレイの表示に反映されるまでに１／６０秒程度かかってしまうという問題は解決されない。
【０００６】
上記の問題に鑑み、本発明に係る情報入力表示装置は、手書入力欄への最初の接触についても、接触を検知してから、その接触に応じた画像の変更がリフレッシュによりディスプレイの表示に反映されるまでの時間を短縮することができる手書き入力端末装置を提供することを目的とする。
【課題を解決するための手段】
【０００７】
上記課題を解決するために本発明に係る情報入力表示装置は、画像データを記憶するＶＲＡＭと、複数の画素が２次元に配列されており、第１領域と前記第１領域よりもリフレッシュの頻度の高い第２領域とから成る画像表示領域を含み、逐次前記ＶＲＡＭから画像データを取得して、取得した画像データが表す画像を表示する表示手段と、前記画像表示領域への接触を検知し、接触位置を表す信号を出力する検知手段と、前記検知手段から出力される信号を逐次受け取り、前記ＶＲＡＭに記憶された画像データのうち当該信号により表される接触位置に対応する部分を更新する制御手段とを備え、前記制御手段は、前記画像データを更新する場合に、前記接触位置が前記第１領域の中の特定領域に含まれている限りにおいて、前記特定領域以外の領域に含まれるときよりも高い頻度で更新する。
【発明の効果】
【０００８】
上述の構成により、本発明に係る情報入力表示装置は、画像データにおいて特定領域に対応する部分が高い頻度で更新されるとともに、特定領域を含む第１領域が第２領域よりも高い頻度でリフレッシュされるため、特定領域への最初の接触に対する画像の変更が、表示手段において表示される画像に反映されるまでの時間を従来よりも短縮することができる。これにより、ユーザは、特定領域（一例として手書き入力欄）に文字を書いたときに、紙に文字を書いたときと同様の感覚、すなわち、書いた文字がスムーズに表示として反映される感覚を得ることができる。
【図面の簡単な説明】
【０００９】
【図１】本発明の一実施形態に係るタブレット端末の外観を示す図
【図２】本発明の一実施形態に係るタブレット端末の機能構成を示すブロック図
【図３】表示部及び表示制御部の構成を示すブロック図
【図４】発光部の構成を示すブロック図
【図５】検出部及び検出制御部の構成を示すブロック図
【図６】（ａ）ディスプレイに表示する、手書入力欄を含まない画像の一例を示す図、（ｂ）手書入力欄を含む画像の一例を示す図
【図７】（ａ）手書入力欄に、入力がされた場合の画像の一例を示す図、（ｂ）接触した状態でスタイラスを滑らせる操作が行われた場合に表示される画像の一例を示す図
【図８】（ａ）手書入力欄への手書きが終了した場合の画像の一例を示す図、（ｂ）決定ボタンが押された後に表示する画像の一例を示す図
【図９】（ａ）第１走査モードについて説明するための図、（ｂ）第２走査モードについて説明するための図
【図１０】（ａ）オブジェクトのディスプレイにおける配置を示す領域一覧情報を示す図、（ｂ）オブジェクトのディスプレイにおける配置を示す領域一覧情報を示す図（手書入力欄等を含む画像の場合）
【図１１】振り込み情報入力処理の手順を示すフローチャート
【図１２】（ａ）第３走査モードについて説明するための図、（ｂ）第４走査モードについて説明するための図
【図１３】本発明の一変形例に係る表示部及び表示制御部の機能構成を示すブロック図
【図１４】本発明の一変形例に係る画像表示領域の分割について説明するための図
【図１５】（ａ）〜（ｄ）走査領域と、走査領域を規定する画素位置との対応付けを示す領域対応表を示す図
【図１６】（ａ）（ｂ）本発明の一変形例に係る画像表示領域の分割について説明するための図
【図１７】（ａ）第５走査モードについて説明するための図、（ｂ）第６走査モードについて説明するための図
【発明を実施するための形態】
【００１０】
＜１．概要＞
以下、本発明の一実施形態に係るタブレット端末１について図面を用いて説明する。タブレット端末１は、図１に示すように、スタイラス１０１を用いたユーザの手書きによる情報入力を受け付けるタッチパネルを備えた情報入力表示装置である。
タブレット端末１は、ユーザが銀行振り込みを行うためのアプリケーションを実行する機能を有する。図１の画像１００は、アプリケーション実行中に表示領域３０に表示される。画像１００は、銀行振り込みを行うためのＧＵＩ（Ｇｒａｐｈｉｃａｌ  Ｕｓｅｒ  Ｉｎｔｅｒｆａｃｅ）を表す画像である。
【００１１】
手書入力欄１２０は、手書入力欄１２０を含まないＧＵＩ画像（図６（ａ）参照）を表示している状態で、ユーザによるオブジェクト（銀行名１０２、支店番号１０３、支店名１０４、銀行名１０５、お受取人名１０６、金額１０７、お名前１０８、ご連絡先１０９、及び通信欄１１０）への接触が検知された場合に表示される。
タブレット端末１は、タッチパネルにおける手書入力欄１２０に対応する領域への接触を検出している場合には、他の領域への接触を検出している場合よりも高い頻度で手書入力欄１２０内の画像に対応する画像データを更新する。この画像データの更新については、表示領域３０を構成する各発光部を順に駆動する走査（リフレッシュ）を行うまでは、表示領域３０に表示される画像に反映されない。
【００１２】
ここで、タブレット端末１は、リフレッシュに関するモード（以下「走査モード」という。）を２つ有しており、これらの走査モードを適切に切り替えてリフレッシュを行うことで、手書入力欄１２０の画像の更新を表示領域３０の表示として可及的速やかに反映させる。これにより、ユーザが、手書入力欄に接触してから更新された画像がディスプレイに表示されるまでに感じうる遅延を低減できる。以下、走査モードについて説明する。
＜走査モード＞
タブレット端末１は、一般的なリフレッシュを行うモードである第１走査モードと、手書入力欄１２０を表示する場合に用いる第２走査モードとを有する。タブレット端末１は、表示領域３０を垂直方向に第１部分表示領域〜第３部分表示領域（図３の領域３３１〜３３３、図６の６０１〜６０３に相当）の３つに分割し、各部分表示領域を単位としてリフレッシュを行う。ここでタブレット端末１は、手書入力欄１２０を必ず第３部分表示領域に表示するものとする。
【００１３】
図９（ａ）は、第１走査モードでリフレッシュを行う場合の、各部分表示領域のリフレッシュタイミングを示す図である。
ここで、横軸ｔは時間軸であり、横軸ｔに沿って並べられた走査領域を示す数値（１、２、３）は、時間軸上の各時刻においてリフレッシュが行われる部分表示領域を示している。走査領域を表す数値が「１」の場合は、第１部分表示領域をリフレッシュすることを示し、数値が「２」の場合は、第２部分表示領域をリフレッシュすることを示し、数値が「３」の場合は、第３部分表示領域をリフレッシュすることを示している。
【００１４】
第１走査モードの場合、時刻０秒〜時刻１／１８０秒の間に第１部分表示領域をリフレッシュし、時刻１／１８０秒〜時刻２／１８０秒の間に第２部分表示領域をリフレッシュし、時刻２／１８０秒〜３／１８０秒の間に第３部分表示領域をリフレッシュする。このようなリフレッシュを１／６０秒ごとに繰り返す。
図９（ｂ）は、第２走査モードでリフレッシュを行う場合の、各部分表示領域のリフレッシュタイミングを示す図である。横軸ｔ、走査領域については、図９（ａ）と同様である。
【００１５】
第２走査モードの場合、時刻０秒〜時刻１／１８０秒の間に第３部分表示領域をリフレッシュする。また、時刻１／１８０秒〜時刻２／１８０秒の間、時刻２／１８０秒〜３／１８０秒の間においても、第３部分表示領域をリフレッシュする。すなわち、第２走査モードでは、原則、１／１８０秒毎に第３部分表示領域のリフレッシュを繰り返す。但し、図９（ｂ）の９１１、９２２として示すように、８／６０秒に１度、第３部分表示領域に代えて第１部分表示領域をリフレッシュする。また、第２部分表示領域についても第１部分表示領域と同様に、図９（ｂ）の９１３として示すように、８／６０秒に１度、第３部分表示領域に代えて第２部分表示領域をリフレッシュする。
【００１６】
以上のように、第２走査モードにおいて、第３部分表示領域のリフレッシュを他の部分表示領域よりも高い頻度（１／１８０秒に１度）で実行することで、手書入力欄１２０の画像の更新が、表示領域３０に表示される画像に速やかに反映される。
また、第２走査モードにおいては、第１部分表示領域のリフレッシュと第２部分表示領域のリフレッシュとを連続して行わない。仮に第１部分表示領域のリフレッシュと第２部分表示領域のリフレッシュとを時間的に連続して行うとすれば、第３部分表示領域のリフレッシュを開始するまでに、最悪２／１８０秒待たなければならない場合が生じる。一方、第２走査モードでは、最悪１／１８０秒待つことで、第３部分表示領域のリフレッシュを開始することができる。
【００１７】
以上のように、第１部分表示領域のリフレッシュと第２部分表示領域のリフレッシュとを連続して行わないことで、手書入力欄１２０の画像の更新が表示領域３０に表示される画像に速やかに反映される確率を、第１部分表示領域のリフレッシュと第２部分表示領域のリフレッシュとを時間的に連続してリフレッシュする場合よりも高くすることができる。
＜２．構成＞
タブレット端末１は、コンピュータで実現されており、機能構成としては図２に示すように、通信部２０１、記憶部２０２、表示部２０３、表示制御部２０４、ＶＲＡＭ２０５、検出部２０６、検出制御部２０７、及びメイン制御部２０８を含んで構成される。
＜２−１．通信部２０１、記憶部２０２及びＶＲＡＭ２０５＞
通信部２０１は、通信用ＬＳＩで実現されており、ネットワークを介してデータの通信を行う機能を有する。通信部２０１は、銀行が有するサーバと通信し、ユーザにより入力された情報を銀行のサーバに送信する等の処理を行う。
【００１８】
記憶部２０２は、フラッシュメモリなどの不揮発性の記憶媒体で実現されており、データを記憶する機能を有する。
ＶＲＡＭ２０５は、表示部２０３に表示するための画像を表す画像データを一時的に記憶する機能を有する。ＶＲＡＭ２０５が記憶する画像データは、表示部２０３における表示領域（図１の表示領域３０）の解像度と同じ、水平画素数１９２０×垂直画素数１０８０の２４ビットカラーの画像を表すビットマップデータである。各画素は、Ｒ（赤）、Ｇ（緑）、Ｂ（青）の３個の副画素から成り、各副画素の画素値（以下、「副画素値」という。）はそれぞれが８ビットで表されている。なお、一般的には上述の「副画素」を単に「画素」と称する場合が多い。
＜２−２．表示部２０３＞
表示部２０３は、有機ＥＬ（ＥｌｅｃｔｒｏＬｕｍｉｎｅｓｃｅｎｃｅ）ディスプレイで実現されている。表示部２０３の表示領域には、上述の副画素に対応する発光部３５０が、図３に示すように、水平方向に１９２０×３個、垂直方向に１０８０個、マトリクス状に配置されて成る。ここで、図３の領域３３１が第１部分表示領域に相当し、領域３３２が第２部分表示領域に相当し、領域３３３が第３部分表示領域に相当する。
【００１９】
発光部３５０は、走査線駆動部３０１からの走査信号、及びデータ線駆動部３０２からの輝度信号を受けて発光する機能を有する。
発光部３５０は、図４に示すように、有機ＥＬ素子４０１、駆動トランジスタ４０２、選択トランジスタ４０３、及びコンデンサ４０４で構成される。
選択トランジスタ４０３のドレイン電極はデータ線ＤＬ（図３のＤＬ１Ｒ〜ＤＬ１９２０Ｂ）に接続され、ゲート電極は走査線ＳＬ（図３のＳＬ１〜ＳＬ１０８０）に接続され、ソース電極はコンデンサ４０４及び駆動トランジスタ４０２のゲート電極に接続されている。また、駆動トランジスタ４０２のソース電極は電源線に接続され、ドレイン電極は有機ＥＬ素子４０１のアノードに接続されている。
【００２０】
発光部３５０の制御は、以下のように行う。まず、走査線ＳＬから選択トランジスタ４０３をオンにする走査信号を入力する。このときに、データ線ＤＬから駆動トランジスタ４０２のゲート電圧として、制御対象の発光部３５０に対応する副画素の副画素値に応じた電圧（データ信号）を供給する。以上の制御により、駆動トランジスタ４０２にドレイン電流が流れ、有機ＥＬ素子４０１が副画素値に応じた輝度で発光する。ここで、コンデンサ４０４には、駆動トランジスタ４０２のゲート−ソース間に必要な電圧が保持される。よって、走査線ＳＬから選択トランジスタ４０３をオフにする信号が入力された後も駆動トランジスタ４０２のゲート−ソース間に電圧がかかる。したがって、選択トランジスタ４０３がオフになった後も、駆動トランジスタ４０２にドレイン電流が流れ、有機ＥＬ素子４０１は発光を維持する。
＜２−３．表示制御部２０４＞
表示制御部２０４は、ＶＲＡＭ２０５に記憶されている画像データに基づき画像を表示するよう表示部２０３を制御する機能、及び、メイン制御部２０８により指定される走査モード（第１走査モード及び第２走査モード）に応じて表示部２０３の各発光部を順に駆動走査（リフレッシュ）する機能を有する。
【００２１】
表示制御部２０４は、ディスプレイ制御用のＬＳＩ（Ｌａｒｇｅ  Ｓｃａｌｅ  Ｉｎｔｅｇｒａｔｉｏｎ）で実現されている。表示制御部２０４は、機能構成としては、図３に示すように、走査線駆動部３０１、データ線駆動部３０２、タイミング制御部３０３、及びスイッチング素子（ＳＷＳ１〜ＳＷＳ１０８０、ＳＷＤ１Ｒ〜ＳＷＤ１９２０Ｂ）を含んで構成される。また、走査線駆動部３０１は、第１部分表示領域に含まれる発光部を駆動する第１駆動部３１１、第２部分表示領域に含まれる発光部を駆動する第２駆動部３１２、及び第３部分表示領域に含まれる発光部を駆動する第３駆動部３１３を含んで構成される。
【００２２】
スイッチング素子（ＳＷＳｐ１、ｐ１：１〜３６０）は、第１駆動部３１１と、走査線（ＳＬｐ１、ｐ１：１〜３６０）との電気的な接続／切断を切り替えるスイッチである。ＳＷＳｐ１は、図３に示すように、一方の端子がＳＬｐ１に接続されており、他方の端子が第１駆動部３１１に接続されている。
スイッチング素子（ＳＷＳｐ２、ｐ２：３６１〜７２０）は、第２駆動部３１２と、走査線（ＳＬｐ２）との電気的な接続／切断を切り替えるスイッチである。ＳＷＳｐ２は、図３に示すように、一方の端子がＳＬｐ２に接続されており、他方の端子が第２駆動部３１２に接続されている。
【００２３】
スイッチング素子（ＳＷＳｐ３、ｐ３：７２１〜１０８０）は、第３駆動部３１３と、走査線（ＳＬｐ３）との電気的な接続／切断を切り替えるスイッチである。ＳＷＳｐ３は、図３に示すように、一方の端子がＳＬｐ３に接続されており、他方の端子が第３駆動部３１３に接続されている。
スイッチング素子（ＳＷＤｑ、ｑ：１Ｒ、１Ｇ、１Ｂ、２Ｒ、２Ｇ、２Ｂ・・・１９２０Ｒ、１９２０Ｇ、１９２０Ｂ）は、データ線駆動部３０２と、データ線（ＤＬｑ）との電気的な接続／切断を切り替えるスイッチである。ＳＷＤｑは、図３に示すように、一方の端子がＤＬｑに接続されており、他方の端子がデータ線駆動部３０２に接続されている。
【００２４】
第１駆動部３１１は、ＳＬ１〜ＳＬ３６０を１つずつ順に選択して走査信号を出力する機能を有する。第１駆動部３１１は、カウンタ値ｖ１を保持しており、第１駆動部選択信号を受信する毎にｖ１が示す値を１に初期化し、水平同期信号を受信する毎にｖ１を１インクリメントする。ここで、第１駆動部選択信号及び水平同期信号は、タイミング制御部３０３により出力される。
【００２５】
第１駆動部３１１は、ｖ１の値が初期化される毎に、また変化する毎に、信号ＳＥＬＳ１としてＳＷＳｖ１のみをオンにする信号を出力することにより走査線ＳＬｖ１を選択し、選択したＳＬｖ１に走査信号を出力する。これにより、ＳＬｖ１に接続している各発光部３５０の有する選択トランジスタ４０３がオン状態になる。
第２駆動部３１２は、ＳＬ３６１〜ＳＬ７２０を１つずつ順に選択して走査信号を出力する機能を有する。第２駆動部３１２は、カウンタ値ｖ２を保持しており、第２駆動部選択信号を受信する毎にｖ２が示す値を３６１に初期化し、水平同期信号を受信する毎にｖ２を１インクリメントする。ここで、第２駆動部選択信号及び水平同期信号は、タイミング制御部３０３により出力される。
【００２６】
第２駆動部３１２は、ｖ２の値が初期化される毎に、また変化する毎に、信号ＳＥＬＳ２としてＳＷＳｖ２のみをオンにする信号を出力することにより走査線ＳＬｖ２を選択し、選択したＳＬｖ２に走査信号を出力する。これにより、ＳＬｖ２に接続している各発光部３５０の有する選択トランジスタ４０３がオン状態になる。
第３駆動部３１３は、ＳＬ７２１〜ＳＬ１０８０を１つずつ順に選択して走査信号を出力する機能を有する。第３駆動部３１３は、カウンタ値ｖ３を保持しており、第３駆動部選択信号を受信する毎にｖ３が示す値を７２１に初期化し、水平同期信号を受信する毎にｖ３を１インクリメントする。ここで、第３駆動部選択信号及び水平同期信号は、タイミング制御部３０３により出力される。
【００２７】
第３駆動部３１３は、ｖ３の値が初期化される毎に、また変化する毎に、信号ＳＥＬＳ３としてＳＷＳｖ３のみをオンにする信号を出力することにより走査線ＳＬｖ３を選択し、選択したＳＬｖ３に走査信号を出力する。これにより、ＳＬｖ３に接続している各発光部３５０の有する選択トランジスタ４０３がオン状態になる。
ここで、第１駆動部３１１は、第２駆動部選択信号及び第３駆動部選択信号を受信した場合は、第１駆動部選択信号を受信するまで動作を停止する。同様に、第２駆動部３１２は、第１駆動部選択信号及び第３駆動部選択信号を受信した場合は、第２駆動部選択信号を受信するまで動作を停止する。また、第３駆動部３１３は、第１駆動部選択信号及び第２駆動部選択信号を受信した場合は、第３駆動部選択信号を受信するまで動作を停止する。
【００２８】
データ線駆動部３０２は、データ線ＤＬ１Ｒ〜ＤＬ１９２０Ｂを１つずつ順に選択し、選択したデータ線ＤＬ及び第１駆動部３１１〜第３駆動部３１３に選択されている走査線ＳＬの双方に接続された発光部３５０に対応する副画素の副画素値に応じたデータ電圧を、選択したデータ線に印加する機能を有する。
データ線駆動部３０２は、カウンタ値ｗ及びｕを保持している。データ線駆動部３０２は、第１駆動部選択信号を受信する毎にｕを１に初期化し、第２駆動部選択信号を受信する毎にｕを３６１に初期化し、第３駆動部選択信号を受信する毎にｕを７２１に初期化する。ここで、第１〜第３駆動部選択信号は、タイミング制御部３０３により出力される。
【００２９】
そして、データ線駆動部３０２は、水平同期信号を受信する毎にｕを１インクリメントするとともに、ｗを１に初期化する。また、データ線駆動部３０２は、画素同期信号を受信する毎にｗを１インクリメントする。ここで、水平同期信号及び画素同期信号は、タイミング制御部３０３により出力される。
そして、データ線駆動部３０２は、ｗの値が初期化される毎に、また変化する毎に、信号ＳＥＬＤとしてＳＷＤｊｋのみをオンにする信号を出力することによりデータ線ＤＬｊｋを選択する。
【００３０】
ここで、ｊは、（（ｗ／３）＋１）の小数部分を切り捨てた値である。例えば、ｗが１、２、３の場合は、いずれもｊは１となる。また、ｋは、ｗ％３が１の場合Ｒであり、ｗ％３が２の場合Ｇであり、ｗ％３が０の場合Ｂである。「ｗ％３」は、ｗを３で除算したときの余りを表す。また、Ｒ、Ｇ、Ｂは、それぞれ赤、緑、青を表す。例えば、ｗが１の場合、ｋはＲであり、ｗが２の場合、ｋはＧであり、ｗが３の場合、ｋはＢである。
【００３１】
よって、ｗが１の場合、ＳＷＤｊｋはＳＷＤ１Ｒであり、ＤＬｊｋはＤＬ１Ｒである。ｗが２の場合、ＳＷＤｊｋはＳＷＤ１Ｇであり、ＤＬｊｋはＤＬ１Ｇである。
データ線駆動部３０２は、データ線ＤＬｊｋを選択すると、ＶＲＡＭ２０５から、画像において、水平方向の位置がｊ、垂直方向の位置がｕ、表す色が上述のｋである副画素値を読み出して、読み出した副画素値に応じたデータ信号をデータ線ＤＬｊｋに印加する。
【００３２】
これにより、走査線ＳＬｕ、データ線ＤＬｊｋに接続している発光部３５０の有機ＥＬ素子４０１が発光する。
タイミング制御部３０３は、クロック生成器を含んで構成されており、第１〜第３駆動部選択信号、垂直同期信号、水平同期信号、及び画素同期信号を生成して出力する機能を有する。
【００３３】
タイミング制御部３０３は、メイン制御部２０８から指定された走査モードが第１走査モードの場合、第１駆動部選択信号、第２駆動部選択信号、第３駆動部選択信号の順に繰り返し生成し、信号相互の間隔が（１／６０）×（１/３）秒になるよう第１駆動部３１１〜第３駆動部３１３、及び、データ線駆動部３０２に出力する。
また、タイミング制御部３０３は、メイン制御部２０８から指定された走査モードが第２走査モードの場合、１１個の第３駆動部選択信号、１個の第１駆動部選択信号、１１個の第３駆動部選択信号、１個の第２駆動部選択信号の順に繰り返し生成し、信号相互の間隔が（１／６０）×（１/３）秒になるよう順に第１駆動部３１１〜第３駆動部３１３、及び、データ線駆動部３０２に出力する。
【００３４】
また、タイミング制御部３０３は、水平同期信号を繰り返し生成し、２つの駆動部選択信号（それぞれ第１〜第３駆動部選択信号のいずれか）の送信の間隔である１／１８０秒の間に（１／１８０）×（１／３６０）秒周期で第１駆動部３１１〜第３駆動部３１３、及び、データ線駆動部３０２に出力する。
また、タイミング制御部３０３は、画素同期信号を繰り返し生成し、上述の２つの水平同期信号の送信間隔、及び、第１〜第３駆動部選択信号のいずれかと水平同期信号との送信間隔である、（１／１８０）×（１／３６０）秒の間に、（１／１８０）×（１／３６０）×（１／（１９２０×３））秒周期で、データ線駆動部３０２に出力する。
＜２−４．検出部２０６、及び検出制御部２０７＞
検出部２０６は、静電容量方式のタッチパッドであり、スタイラス１０１（又はユーザの指先）の接触を検出する検出面に、図５に示すようにＸ方向に沿って平行に配置された複数の短冊状の送信電極（ＥＹ１〜ＥＹ５４）と、それぞれの送信電極と交差するようにＹ方向に沿って平行に配置された複数の短冊状の受信電極（ＥＸ１〜ＥＸ９６）とを備える。
【００３５】
検出制御部２０７は、タッチパッド制御用のＩＣ（Ｉｎｔｅｇｒａｔｅｄ  Ｃｉｒｃｕｉｔ）で実現されており、検出面におけるユーザが接触した位置（以下「接触位置」という。）を示すレベル信号を出力するよう検出部２０６を制御する機能を有する。
検出制御部２０７は、機能構成としては、図５に示すように送信信号処理部５０１、受信信号処理部５０２、タイミング制御部５０３及びスイッチング素子（ＳＷＹ１〜ＳＷＹ５４、ＳＷＸ１〜ＳＷＸ９６）を含んで構成される。
【００３６】
スイッチング素子（ＳＷＹｍ、ｍ：１〜５４）は、送信信号処理部５０１と送信電極（ＥＹｍ）との電気的な接続／切断を切り替えるスイッチである。ＳＷＹｍは、一方の端子が図５に示すようにＥＹｍに接続されており、他方の端子が送信信号処理部５０１に接続されている。
また、スイッチング素子（ＳＷＸｎ、ｎ：１〜９６）は、受信電極（ＥＸｎ）と受信信号処理部５０２との電気的な接続／切断を切り替えるスイッチである。ＳＷＸｎは、一方の端子が図５に示すようにＥＸｎに接続されており、他方の端子が受信信号処理部５０２に接続されている。
【００３７】
タイミング制御部５０３は、クロック生成器を含んで構成されており、検出部２０６の検出面に対する接触を接触検出周期（１／２００秒周期）で検知するための信号（垂直同期信号、水平同期信号、及び受信電極切替信号）を送信する機能を有する。
タイミング制御部５０３は、１／２００秒周期の垂直同期信号を送信信号処理部５０１及び受信信号処理部５０２に対し送信する。また、タイミング制御部５０３は、送信信号処理部５０１及び受信信号処理部５０２に対し、垂直同期信号の送信と次の垂直同期信号の送信との間に（１／２００）×（１／５４）秒周期の水平同期信号を送信する。
【００３８】
また、タイミング制御部５０３は、受信信号処理部５０２に対し、水平同期信号の送信と次の水平同期信号の送信との間に（１／２００）×（１／５４）×（１／９６）秒周期の受信同期信号を送信する。
送信信号処理部５０１は、送信電極を１つずつ選択し、選択した送信電極に駆動信号を印加する機能を有する。送信信号処理部５０１は、カウンタ値ｓを保持しており、タイミング制御部５０３から垂直同期信号を受信する毎にｓを１に初期化し、水平同期信号を受信する毎にｓを１インクリメントする。
【００３９】
送信信号処理部５０１は、ｓの値が変化する毎にＳＷＹｓのみをオンにする信号ＳＥＬＹを出力することにより送信電極ＥＹｓを選択し、ＥＹｓに対し駆動信号（パルス信号）を印加する。
受信信号処理部５０２は、受信電極を１つずつ選択し、選択した受信電極からの充放電電流を検出する機能を有する。受信信号処理部５０２は、カウンタ値ｒを保持しており、タイミング制御部５０３から垂直同期信号及び水平同期信号を受信する毎にｒを１に初期化し、受信同期信号を受信する毎にｒを１インクリメントする。
【００４０】
受信信号処理部５０２は、ｒの値が変化する毎にＳＷＸｒのみをオンにする信号ＳＥＬＸを出力することにより受信電極ＥＸｒを選択する。
ここで、送信信号処理部５０１により選択されたＥＸｓと、受信信号処理部５０２により選択された受信電極ＥＹｒとの交差部分にはコンデンサが形成される。この交差部分へスタイラス１０１の接触があると、このコンデンサの静電容量が減少する。受信信号処理部５０２は、ＥＹｒの充放電電流を測定することにより、静電容量の変化、すなわち、交差部分へのスタイラス１０１の接近を検出する。受信信号処理部５０２は、電極交点それぞれについての充放電電流の変化量をレベル信号（ディジタル信号）に変換してメイン制御部２０８に対し出力する。
＜２−５．メイン制御部２０８＞
メイン制御部２０８は、プロセッサ及びメモリを含んで構成されており、タブレット端末１の全体動作を行う制御する機能を有する。メイン制御部２０８の機能は、メモリに記憶されているプログラムをプロセッサが実行することにより実現される。メイン制御部２０８は、主要な機能として、対応位置算出機能（図１１のステップＳ１１０１及びステップＳ１１０２）、画像生成機能（図１１のステップＳ１１１２、ステップＳ１１３２及びステップＳ１１６４）、文字認識機能（図１１のステップＳ１１３１）、及びモード切替機能（図１１のステップＳ１１３３及びステップＳ１１６３）を有する。メイン制御部２０８は、これら各機能を用い情報入力処理（図１１参照）を実現する。
【００４１】
メイン制御部２０８は、画像生成機能として、図６（ａ）〜図８（ｂ）に示すような、ユーザが銀行振り込みを行うためのＧＵＩ画像を生成する。そして、各画像に配置されるオブジェクト（銀行名を入力する場合に選択される銀行名１０２、支店番号を入力する場合に選択される支店番号１０３など）について、それぞれの配置位置を示す領域一覧情報（図１０（ａ）（ｂ）参照）を生成して記憶部２０２に記憶させる。
＜３．動作＞
以下、タブレット端末１による情報入力処理について図１１を用いて説明する。
【００４２】
具体的には、ユーザが、タブレット端末１を用いて他人（受取人）の有する銀行口座にお金を振り込む場合の、受取人名などの情報の入力を手書入力で行う処理を例に説明する。ここで、タブレット端末１の表示領域３０には、図６（ａ）に示す画像が表示されているものとする。また、メイン制御部２０８が作成する画像において、手書入力欄１２０を表示する場合には、必ず第３表示領域に対応する領域内に表示するものとする。
【００４３】
ステップＳ１１０１において、メイン制御部２０８は、検出制御部２０７から電極交点毎のレベル信号の入力を受け付ける。
ステップＳ１１０２において、メイン制御部２０８は、受信信号処理部５０２から出力される電極交点ごとのレベル信号から所定の演算処理によって、レベル信号が示す接触位置に対応する画素の位置（以下、「対応位置」という。）を算出する。
【００４４】
この対応位置の演算では、Ｘ方向とＹ方向とでそれぞれ隣接する複数（例えば４×４）の電極交点ごとのレベル信号から所要の補間法（例えば重心法）を用いて対応位置を求める。これにより、送信電極ＥＸ及び受信電極ＥＹの配置ピッチよりも高い分解能（本明細書では２０倍）で、対応位置を検出することができる。
対応位置については、位置履歴として、前回取得したものを記憶しておき、取得する対応位置に変化があるか否かの判定に用いる。
【００４５】
ステップＳ１１０３において、メイン制御部２０８は、手書入力欄１２０を表示中か否か判断する。手書入力欄１２０が表示中である場合（ステップＳ１１０３でＹＥＳ）には、ステップＳ１１０４に進み、手書入力欄１２０が表示されていない場合（ステップＳ１１０３でＮＯ）には、ステップＳ１１６１に進む。
ステップＳ１１０４において、メイン制御部２０８は、ステップＳ１１０２で得た対応位置が、図１０（ｂ）の領域一覧情報に示される、オブジェクトが表示される領域のいずれかに入っているか判断する。
【００４６】
手書入力欄１２０が表示される領域に入っている場合（ステップＳ１１０４で「手書入力欄」）には、ステップＳ１１１１に進み、決定ボタン１３０が表示される領域に入っている場合（ステップＳ１１０４で「決定ボタン」）には、ステップＳ１１３１に進み、その他の領域に入っている場合（ステップＳ１１０４で「その他」）には、ステップＳ１１０１に進む。
【００４７】
ステップＳ１１１１において、対応位置が、上述の位置履歴として記憶している前回取得した対応位置から変化しているか否かを判定し、変化している場合（ステップＳ１１１１でＹＥＳ）には、ステップＳ１１１２に進み、変化していない場合（ステップＳ１１１１でＮＯ）には、ステップＳ１１０１に進む。
ステップＳ１１１２において、メイン制御部２０８は、手書入力欄１２０の対応位置に相当する部分の画素データを黒色に変更した画像データ（一例として図７（ａ）、部分画像７２１参照）を生成し、ＶＲＡＭ２０５に出力して、ステップＳ１１０１に進む。
【００４８】
ステップＳ１１３１において、メイン制御部２０８は、手書入力欄１２０に記載された画像（図８（ａ）参照）について、画像解析技術を用いた文字認識を行う。
ステップＳ１１３２において、メイン制御部２０８は、ステップＳ１１３１の文字認識により特定した文字をテキストに変換し、ステップＳ１１６２において記憶される欄選択情報で示される記入欄に関する部分を、認識したテキストを貼り付けた画像に変更し、手書入力欄１２０を表示しない画像（図８（ｂ）参照）を生成し、ＶＲＡＭ２０５に出力する。一例として、ステップＳ１１６２で記憶される記入欄がお受取人名１０６であり、ステップＳ１１３１において文字認識された文字が「松下太郎」である場合、ステップＳ１１３２で生成される画像は、図８（ｂ）の画像８３１として示すように、お受取人名１０６の位置にテキスト「松下太郎」が貼り込まれた画像である。
【００４９】
ステップＳ１１３３において、メイン制御部２０８は、表示制御部２０４に対し第２走査モードから第１走査モードへの変更を指示する。
ステップＳ１１６１において、対応位置がいずれの領域内を示すか判断する。記入欄以外の場合（ステップＳ１１６１で「記入欄以外」）には、ステップＳ１１０１に進み、記入欄である場合（ステップＳ１１６１で「記入欄」）には、ステップＳ１１６２に進む。
【００５０】
ステップＳ１１６２において、メイン制御部２０８は、ステップＳ１１６１で判断された記入欄を示す欄選択情報を記憶する。
ステップＳ１１６３において、メイン制御部２０８は、表示制御部２０４に対し第１走査モードから第２走査モードに変更するよう指示する。
ステップＳ１１６４において、メイン制御部２０８は、手書入力欄１２０を含む画像（図６（ｂ）参照）を生成し、ＶＲＡＭ２０５に出力する
ここで、メイン制御部２０８が画像を生成する頻度についての補足説明を行う。メイン制御部２０８は、ユーザが手書入力欄１２０への接触を行っている場合には、他の領域への接触を行う場合よりも高い頻度で画像を生成する。
【００５１】
ユーザが手書入力欄１２０内にスタイラス１０１を触れさせた状態でスタイラス１０１を滑らせる操作を行った場合、この滑らせる操作により、１／２６０秒周期で、異なる接触位置を示すレベル信号が、メイン制御部２０８に入力されることになる（ステップＳ１１０１）。このとき、メイン制御部２０８は、１／２６０秒毎に、手書入力欄１２０内の画素の色を変更した画像を生成することになる（ステップＳ１１１２）。これらの１／２６０秒毎に生成される画像は、例えば、生成毎に手書入力欄１２０内に描かれる線が伸び、図７（ａ）の部分画像７２１から図７（ｂ）の部分画像７２２へと変化する。
【００５２】
一方で、手書入力欄１２０が表示されている状態（ステップＳ１１０３でＹＥＳ）では、手書入力欄１２０及び決定ボタン１３０以外の領域を接触しても（ステップＳ１１０４で「その他」）、画像の生成は行われない。また、手書入力欄１２０が表示されていない状態（ステップＳ１１０３でＮＯ）で記入欄以外が接触された場合にも（ステップＳ１１６１で「記入欄以外」）、画像の生成は行われない。
【００５３】
また、手書入力欄１２０が表示されていない状態で（ステップＳ１１０３でＮＯ）、ユーザが記入欄内でスタイラス１０１を滑らせる操作を行った場合、メイン制御部２０８は、対応位置が記入欄内を示すことを検知し（ステップＳ１１６１で「記入欄」）、手書入力欄１２０を表示するための画像を１度は生成する（ステップＳ１１６４）。しかし、記入欄への接触が継続することにより、１／２００秒周期で同じ記入欄内の異なる接触位置を示すレベル信号がメイン制御部２０８に継続して通知されても、メイン制御部２０８は画像の生成を行わない（ステップＳ１１０３でＹＥＳ、ステップＳ１１０４でその他）。
【００５４】
すなわち、メイン制御部２０８は、ユーザによる手書入力欄１２０への接触が継続している限りにおいて、他の領域に接触している場合よりも、高い頻度で画像を生成しＶＲＡＭ２０５に出力することになる。
＜４．変形例＞
以上、本発明の一実施形態に係るタブレット端末の実施形態を説明したが、例示したタブレット端末を以下のように変形することも可能であり、本発明が上述の実施形態で示した通りのタブレット端末に限られないことは勿論である。
（１）上記実施形態では、手書入力欄１２０を第３部分表示領域に表示することとしたが、リフレッシュの頻度が他の部分表示領域よりも高い部分表示領域に表示すれば足りる。
【００５５】
例えば、手書入力欄を第１部分表示領域に表示することとしてもいい。手書入力欄を第１部分表示領域に表示する場合、表示制御部２０４は、図１２（ａ）に示す第３走査モードでリフレッシュを実行する。図１２（ａ）の横軸ｔ、走査領域についての説明は、図９（ａ）と同様である。
第３走査モードの場合、原則、１／１８０秒毎に第１部分表示領域のリフレッシュを繰り返す。但し、図１２（ａ）の１２１１、１２１２として示すように、８／６０秒に１度、第１部分表示領域に代えて第２部分表示領域をリフレッシュする。また、第３部分表示領域についても第２部分表示領域と同様に、図１２（ａ）の１２１３として示すように、８／６０秒に１度、第１部分表示領域に代えて第３部分表示領域をリフレッシュする。
【００５６】
また、手書入力欄を第２部分表示領域に表示することとしてもよい。手書入力欄を第２部分表示領域に表示する場合、表示制御部２０４は、図１２（ｂ）に示す第４走査モードでリフレッシュを実行する。図１２（ｂ）の横軸ｔ、走査領域についての説明は、図９（ａ）と同様である。
第４走査モードの場合、原則、１／１８０秒毎に第２部分表示領域のリフレッシュを繰り返す。但し、図１２（ｂ）の１２３１、１２３２として示すように、８／６０秒に１度、第２部分表示領域に代えて第１部分表示領域をリフレッシュする。また、第３部分表示領域についても第１部分表示領域と同様に、図１２（ｂ）の１２３３として示すように、８／６０秒に１度、第２部分表示領域に代えて第３部分表示領域をリフレッシュする。
（２）上記実施形態では、走査線駆動部３０１が、第１駆動部３１１〜第３駆動部３１３の３つの駆動部を含み、３つの駆動部のそれぞれが、各部分表示領域に対応する３６０本の走査線に対する走査信号の出力を行っていたが、全ての走査線に対する走査信号の出力ができれば足りる。
【００５７】
例えば、図１３に示すように、１個の走査線駆動部１３１１が、スイッチング素子ＳＷＳ１〜ＳＷＳ１０８０の接続／切断を制御し、１０８０本の全ての走査線に対し走査信号を出力してもよい。
この場合、走査線駆動部１３１１は、領域対応表を用いて各部分表示領域と各走査線とを対応付けて、各走査線に対し走査信号を出力する。
【００５８】
領域対応表は、図１５（ａ）に示すように、走査領域と、走査領域を規定する画素位置（左上隅画素、右下隅画素）とを対応づけた表である。
走査領域の値が「１」の場合、第１部分表示領域を示し、走査領域の値が「２」の場合、第２部分表示領域を示し、走査領域の値が「３」の場合、第３部分表示領域を示している。
【００５９】
第１部分表示領域は、左上隅の画素の位置が（１，１）であり、右下隅の画素の位置が（１９２０，３６０）である矩形の領域である。第２部分表示領域は、左上隅画素の位置が（１，３６１）であり、右下隅画素の位置が（１９２０，７２０）である矩形の領域である。第３部分表示領域は、左上隅画素の位置が（１，７２１）であり、右下隅画素の位置が（１９２０，１０８０）である矩形の領域である。
【００６０】
また、走査線駆動部は、２個、又は４個以上の駆動部を含んで構成されることとしてもよい。
（３）変形例（２）では、表示領域３０を第１部分表示領域〜第３部分表示領域の３個に分割するときに、走査線数が均等（３６０本）になるよう分割していたが、各部分表示領域に対応する走査線数が不均等になるよう分割してもよい。
【００６１】
例えば、表示領域３０を分割する場合に、第３部分表示領域を、図１４の領域１４０３として示すように手書入力欄の大きさ・形に近づけるように規定してもよい。この場合、第１部分表示領域、第２部分表示領域は、一例として表示領域３０から第３部分表示領域を除いた領域を２分割した領域とする。この場合の領域対応表を図１５（ｂ）に示す。図１５（ｂ）の説明は、図１５（ａ）と同様となるので省略する。
（４）上記実施形態及び変形例では、表示領域３０を３分割することとしたが、分割後の部分表示領域の１つにおけるリフレッシュの頻度が他の部分表示領域よりも高ければ足り、リフレッシュの頻度の高い部分表示領域を除いた領域を、いくつに分割してもよい。
【００６２】
例えば、表示領域３０を、図１６（ａ）に示すように第１部分表示領域１６０１と、第２部分表示領域１６０２とに２分割することとしてもよい。ここで、第２部分表示領域がリフレッシュの頻度の高い領域であり、この第２部分表示領域に手書入力欄を表示する。また、走査線駆動部１３１１は、リフレッシュにおける走査領域と走査線との対応付けを図１５（ｃ）に示す領域対応表を用いて行う。
【００６３】
また、図１５（ｃ）に示す領域対応表を用いる場合の走査モードを、図１７（ａ）及び図１７（ｂ）に示す。
図１７（ａ）は、手書入力欄を表示していない場合に用いる走査モードである第５走査モードを示す。また、図１７（ｂ）は、手書入力欄を表示している場合に用いる走査モードである第６走査モードを示す。
【００６４】
第５走査モードにおいては、図１７（ａ）に示すように、時刻０秒〜時刻２／１８０秒の間に第１部分表示領域をリフレッシュし、時刻２／１８０秒〜時刻３／１８０秒の間に第２部分表示領域をリフレッシュする。このようなリフレッシュを１／６０秒毎に繰り返す。ここで、第１部分表示領域は、第２部分表示領域の２倍の大きさの領域であるので、第１部分表示領域については、第２部分表示領域のリフレッシュを行う時間の２倍の時間でリフレッシュを行うことになる。
【００６５】
第６走査モードにおいては、時刻０秒〜時刻１／１８０秒の間に第２部分表示領域をリフレッシュする。また、時刻１／１８０秒〜時刻２／１８０秒の間、時刻２／１８０秒〜３／１８０秒の間においても、第２部分表示領域をリフレッシュする。すなわち、第２走査モードでは、原則、１／１８０秒毎に第２部分表示領域のリフレッシュを繰り返す。
但し、図１７（ｂ）の１７１１として示すように、８／６０秒に１度、第１部分表示領域に代えて第２部分表示領域を２／１８０秒の間にリフレッシュする。
（５）上記実施形態及び変形例では、部分表示領域を全て矩形としていたが、表示制御部２０４によりリフレッシュの制御ができれば形状は問わない。例えば、図１６（ｂ）に示すように、第２部分表示領域を手書入力欄と同じ大きさの矩形とし、第１部分表示領域を、表示領域全体から第２部分表示領域をくり抜いた領域としてもよい。なお、このときの第１部分表示領域及び第２部分表示領域を規定するための領域対応表は図１５（ｄ）に示す通りである。
（６）上記実施形態では、タブレット端末１が実行するアプリケーションが、一例として銀行振り込み用のアプリケーションである例について説明したが、手書入力欄が表示されるアプリケーションであれば足りる。
【００６６】
また、上記実施形態では、他の部分表示領域よりも高い頻度でリフレッシュする部分表示領域に表示する画像は、手書入力欄の画像であるとしたが、ユーザによる接触が検知された場合に接触に追随して可及的速やかに更新すべき画像であれば足りる。例えば、可及的速やかに更新すべき画像が、ゲームのアプリケーション実行中に表示されるゲーム画像における、ユーザにより接触されている位置に表示する自動車などのアイコン画像などでもよい。
（７）上記実施形態では、第１及び第２部分表示領域のリフレッシュの頻度を８／６０秒に１度としていたが、リフレッシュを行わない各発光部の発光輝度の低下が輝度差検知限（１％）を超えなければ足りる。なお、発光輝度の低下は、リフレッシュを行わないことにより、各発光部が備えるコンデンサ４０４の保持電圧が低下することにより生じる。よって、８／６０秒以上リフレッシュを行わなくてもよいし、低い場合に、８／６０秒より短い間隔でリフレッシュを行ってもよい。
（８）上記実施形態では表示領域を３分割し、上記変形例（４）では表示領域を２分割していたが、表示領域を４個以上に分割してもよい。分割数を増すほど、上述の＜走査モード＞の項に記載したように、手書入力欄の画像を含む部分表示領域のリフレッシュを開始するまでの時間は短くなると考えられる。しかしながら、分割数を増すほど、リフレッシュの制御が複雑になり、又は、駆動部に係るデバイス数の増加など構成も複雑になるなどのデメリットが生じることも考え得る。よって、分割数は、上記のようなデメリットと、リフレッシュを開始するまでの時間の短縮化の必要性とを勘案して決定すればよい。
（９）上記実施形態では、表示部２０３は、有機ＥＬディスプレイで実現されているとしたが、リフレッシュを伴うディスプレイであれば足りる。例えば、液晶ディスプレイであってもよい。
（１０）上記実施形態で示した対応位置算出処理、画像生成処理、文字認識処理、モード切替処理、及び情報入力処理などをタブレット端末１のプロセッサ、及びそのプロセッサに接続された各種回路に実行させるための機械語或いは高級言語のプログラムコードからなる制御プログラムを、記録媒体に記録すること、又は各種通信路等を介して流通させ頒布することもできる。このような記録媒体には、ＩＣカード、ハードディスク、光ディスク、フレキシブルディスク、ＲＯＭ、フラッシュメモリ等がある。流通、頒布された制御プログラムはプロセッサに読み出され得るメモリ等に格納されることにより利用に供され、そのプロセッサがその制御プログラムを実行することにより各実施形態で示したような各機能が実現されるようになる。なお、プロセッサは、制御プログラムを直接実行する他、コンパイルして実行或いはインタプリタにより実行してもよい。
（１１）上記実施形態で示した各機能構成要素（通信部２０１、表示制御部２０４、検出制御部２０７、及びメイン制御部２０８）は、その機能を実行する回路として実現されてもよいし、１又は複数のプロセッサによりプログラムを実行することで実現されてもよい。
【００６７】
なお、上述の各機能構成要素は典型的には集積回路であるＬＳＩとして実現される。これらは個別に１チップされてもよいし、一部又は全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。また、集積回路化の手法はＬＳＩに限るものではなく、専用回路又は汎用プロセッサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサを利用してもよい。更には、半導体技術の進歩又は派生する別技術によりＬＳＩに置き換わる集積回路化の技術が登場すれば、当然、その技術を用いて機能ブロックの集積化を行ってもよい。バイオ技術の適応等が可能性としてありえる。
（１２）上述の実施形態及び各変形例を、部分的に組み合せてもよい。
＜５．補足＞
以下、更に本発明の一実施形態としての情報入力表示装置の構成及びその変形例と効果について説明する。
（１）本発明の一実施形態に係る情報入力表示装置は、画像データを記憶するＶＲＡＭと、複数の画素が２次元に配列されており、第１領域と前記第１領域よりもリフレッシュの頻度の高い第２領域とから成る画像表示領域を含み、逐次前記ＶＲＡＭから画像データを取得して、取得した画像データが表す画像を表示する表示手段と、前記画像表示領域への接触を検知し、接触位置を表す信号を出力する検知手段と、前記検知手段から出力される信号を逐次受け取り、前記ＶＲＡＭに記憶された画像データのうち当該信号により表される接触位置に対応する部分を更新する制御手段とを備え、前記制御手段は、前記画像データを更新する場合に、前記接触位置が前記第１領域の中の特定領域に含まれている限りにおいて、前記特定領域以外の領域に含まれるときよりも高い頻度で更新する。
【００６８】
この構成により、画像データにおいて特定領域に対応する部分が高い頻度で更新されるとともに、特定領域を含む第１領域が第２領域よりも高い頻度でリフレッシュされるため、特定領域への最初の接触に対する画像の変更が、表示手段において表示される画像に反映されるまでの時間を従来よりも短縮することができる。
これにより、ユーザは、特定領域（一例として手書き入力欄）に文字を書いたときに、紙に文字を書いたときと同様の感覚、すなわち、書いた文字がスムーズに表示として反映される感覚を得ることができる。
【００６９】
なお、画像表示領域において２次元に配列される画素は、上述の実施の形態における副画素に相当する。
（２）また、前記特定領域に表示される画像は、手書入力欄に係る画像であり、前記制御手段は、前記各接触位置が前記特定領域に含まれる場合に、当該各接触位置に応じた手書認識を行うとしてもよい。
【００７０】
この構成により、ユーザは、手書入力欄に文字を書いたときに、紙に文字を書いたときと同様の感覚、すなわち書いた文字がスムーズに表示として反映される感覚を得ることができる。
（３）また、前記第１及び第２領域は、それぞれ、長手方向がリフレッシュにおける走査方向と一致する帯状の領域であるとしてもよい。
【００７１】
この構成により、画像表示領域を、リフレッシュを行う単位となる帯状の領域に分け、リフレッシュを行う単位毎にリフレッシュの頻度を決定することができる。
（４）また、前記表示手段は、前記第１領域を第１サブ領域及び第２サブ領域に分けた場合の、前記第１サブ領域のリフレッシュと前記第２サブ領域のリフレッシュとの間に、前記第２領域のリフレッシュを実行するとしてもよい。
【００７２】
この構成により、特定領域を含む第２領域について、リフレッシュを開始するまでの平均待ち時間を従来よりも短くできる。
（５）また、前記第１及び第２サブ領域は、それぞれ、長手方向がリフレッシュにおける走査方向と一致する帯状の領域であるとしてもよい。
この構成により、第２領域を、リフレッシュを行う単位となる帯状のサブ領域に分け、リフレッシュを行う単位毎にリフレッシュの頻度を決定することができる。
（６）また、前記表示手段は、前記第１サブ領域のリフレッシュを前記第２サブ領域のリフレッシュよりも高い頻度で実行するとしてもよい。
【００７３】
この構成により、第２領域をさらに、対応する発光部のリフレッシュを開始するまでの平均待ち時間がそれぞれ異なる２つの領域に分けることができる。
（７）また、前記各画素は、アクティブマトリックス方式により駆動されるよう構成され、前記第１領域及び前記第２領域のリフレッシュの頻度は、前記第１領域及び前記第２領域に含まれる各画素について、リフレッシュされない期間における輝度の低下が１％以内となるよう規定されているとしてもよい。
【００７４】
また、前記各画素は、アクティブマトリックス方式により駆動されるよう構成され、前記第２領域、前記第１サブ領域、及び前記第２サブ領域のリフレッシュの頻度は、前記第２領域、前記第１サブ領域、及び前記第２サブ領域に含まれる各画素について、リフレッシュされない期間における輝度の低下が１％以内となるよう規定されているとしてもよい。
【００７５】
この構成により、画像表示領域に表示される画像について、部分的に輝度が低下していくことで画質劣化が生じているとユーザにより認識されるのを防ぐことができる。
【産業上の利用可能性】
【００７６】
本発明の一形態に係る情報入力表示装置は、ユーザがタッチパネルに手書きした線等の軌跡が表示画面にスムーズに反映されるものであり、ユーザが手書きにより情報を入力するための端末等に好適である。
【符号の説明】
【００７７】
１    タブレット端末
３０    表示領域
１００    画像
１０１    スタイラス
１２０    手書入力欄
１３０    決定ボタン
２０１    通信部
２０２    記憶部
２０３    表示部
２０４    表示制御部
２０５    ＶＲＡＭ
２０６    検出部
２０７    検出制御部
２０８    メイン制御部
３０１    走査線駆動部
３０２    データ線駆動部
３０３    タイミング制御部
３１１    第１駆動部
３１２    第２駆動部
３１３    第３駆動部
３５０    発光部
４０１    有機ＥＬ素子
４０２    駆動トランジスタ
４０３    選択トランジスタ
４０４    コンデンサ
５０１    送信信号処理部
５０２    受信信号処理部
５０３    タイミング制御部
６０１    第１部分表示領域
６０２    第２部分表示領域
６０３    第３部分表示領域
１３１１    走査線駆動部
【図１】
0006013994.tif 000002
【図２】
0006013994.tif 000003
【図３】
0006013994.tif 000004
【図４】
0006013994.tif 000005
【図５】
0006013994.tif 000006
【図６】
0006013994.tif 000007
【図７】
0006013994.tif 000008
【図８】
0006013994.tif 000009
【図９】
0006013994.tif 000010
【図１０】
0006013994.tif 000011
【図１１】
0006013994.tif 000012
【図１２】
0006013994.tif 000013
【図１３】
0006013994.tif 000014
【図１４】
0006013994.tif 000015
【図１５】
0006013994.tif 000016
【図１６】
0006013994.tif 000017
【図１７】
0006013994.tif 000018